(57)【要約】【課題】軸筒の径が小さいことによるスリムタイプのボールペンの構成を提唱すること。【解決手段】口金２、軸筒１、ノック６、レフィール３、スプリング５を有するボールペンにおいて、軸筒１とノック６との間にスプリング止め４に対し後方から押圧可能であって、かつ２本の脚部を後方に突設しているストッパーバネ７及び軸筒１の後端から内壁に沿って、ノック６を囲んだ状態にある天冠８を設け、天冠８の先端から中途部位に設けた細長状のスリット８２と、ストッパーバネ７の一方側脚部の一部領域に、当該細長状スリット８２に嵌入状態及び嵌入解消状態を可能とすると共に、ストッパーバネ７の下方側脚部において、軸筒１の長手方向と交差する方向を有している弾性力発揮部７４による弾性力の発揮によって、レフィール３の先端のペン先が軸筒１の先端の内側からの突出状態又は当該口金２内における収納状態を可能とするスリムタイプボールペン。【選択図】図１
2014117874.tif 000002
【特許請求の範囲】
【請求項１】
先端に口金を着脱自在に螺着し、後端にノックを前後方向移動可能な状態にて係合している軸筒との長手方向に沿ってインクを収納するパイプ及びペン先を有するレフィールを、ノックによる前方向への押圧及びスプリングの後方への弾性力を介して前後方向に移動可能な状態にて収納し、かつ当該スプリングを口金後端とレフィールの後端にて固着されているスプリング止めとの間にて伸縮自在にて固着しているボールペンにおいて、スプリング止めに対し後方から押圧可能なストッパーバネを設け、当該ストッパーバネには当該押圧部から後方に向けて２本の脚部を突設し、一方側の脚部の中途部位にスプリング止めよりも後方にて軸筒に設けた穴に嵌合している突起を備えており、他方の脚部は、ノックによって固定されている後端側から軸筒の長手方向に沿って前側に延設された直線状領域と、前記押圧部から後側に延設された一部領域又は全領域が前記直線状領域と交差状に結合することによって、前後方向における弾性力発揮部を備えており、軸筒の後端から内壁に沿って、ノックを囲んだ状態にて天冠を設け、天冠の後端側における内径側への突出部とノックの外壁及びノックの先端側における外径側への突出部と天冠の内壁とは何れも相互に摺動自在に設定されており、当該天冠は、前側先端から後側中途部位にかけて、ストッパーバネの一方側脚部の後側の一部領域が嵌合可能である細長状スリットを有しているスリムタイプボールペン。
【請求項２】
ストッパーバネの他方側脚部において、弾性力発揮部が、押圧部から後方に延設された直線状領域と交差状態にて結合し、かつ略直線状であることを特徴とする請求項１記載のスリムタイプボールペン。
【請求項３】
ストッパーバネの他方側脚部において、弾性力発揮部が、押圧部から後方に延設されている直線状領域と交差状態にて結合し、かつ略Ｕ字状又は略Ｓ字状であることを特徴とする請求項１記載のスリムタイプボールペン。
【請求項４】
天冠において、ノックに固定されている後端側から軸筒の長手方向に沿って前側に延設された直線状領域以外の領域の一部と嵌合可能な他の細長状スリットを設けたことを特徴とする請求項１、２、３の何れか一項に記載のスリムタイプボールペン。
【発明の詳細な説明】
【技術分野】
【０００１】
本発明は、ノックの押圧を原因とする前進によって、筆記状態を実現するボールペンであって、特に軸筒の径を小さい設計とすることが可能であるスリムタイプのボールペンに関するものである。
【背景技術】
【０００２】
出願人は、これまで諸タイプのボールペンの構成を提唱し、かつ特許出願を行った。
例えば、特許文献１に示すボールペンにおいては、筆記具ボディと螺合し得る外側筒部を設けることによって、使用時においては、筆記具ボディを外側からカバーすることによって、適度な太さによる把持を可能とし、他方不使用時においては、芯又はペン先を外側からカバーして、落下又は振動に基づく破損又は損傷を保護するだけでなく、ポケット等に収納した際、芯又はペン先に刺傷の発生を防止することもできる。
【０００３】
特許文献２のボールペンにおいては、軸筒内に特定の構成のダンパー阻止を設けることによって、レフィール、及び回転の後退に際し、レフィールバネの弾発力を必要に応じて緩和することができ、これによって快適なノックの操作を実現することができる。
【０００４】
然るに、近年ポケットにおけるコンパクトな支持及び簡便な把持を伴うスピーディーな筆記を可能とするために、小さな径による軸筒を有しているスリムタイプのボールペンが要請されている。
【０００５】
にも拘らず、特許文献１及び同２においては、スリムタイプのボールペンを実現するために格別の設計上の工夫が行われている訳ではなく、かつこの点は、特許文献１及び同２以外の他の公知文献の場合にも変わりはない。
【先行技術文献】
【特許文献】
【０００６】
【特許文献１】特開平１１−３４２６９６号公報
【特許文献２】特開２００２−３０７８９２号公報
【発明の概要】
【発明が解決しようとする課題】
【０００７】
本発明は、コンパクトな状態によるポケットにおける支持及びスピーディーな筆記を実現するため、特に軸筒の径を小さい状態とすることを可能とするスリムタイプのボールペンの構成を提唱することを課題としている。
【課題を解決するための手段】
【０００８】
前記課題を達成するため、本発明の基本構成は、先端に口金を着脱自在に螺着し、後端にノックを前後方向移動可能な状態にて係合している軸筒との長手方向に沿ってインクを収納するパイプ及びペン先を有するレフィールを、ノックによる前方向への押圧及びスプリングの後方への弾性力を介して前後方向に移動可能な状態にて収納し、かつ当該スプリングを口金後端とレフィールの後端にて固着されているスプリング止めとの間にて伸縮自在にて固着しているボールペンにおいて、スプリング止めに対し後方から押圧可能なストッパーバネを設け、当該ストッパーバネには当該押圧部から後方に向けて２本の脚部を突設し、一方側の脚部の中途部位にスプリング止めよりも後方にて軸筒に設けた穴に嵌合している突起を備えており、他方の脚部は、ノックによって固定されている後端側から軸筒の長手方向に沿って前側に延設された直線状領域と、前記押圧部から後側に延設された一部領域又は全部領域が前記直線状領域と交差状に結合することによって、前後方向における弾性力発揮部を備えており、軸筒の後端から内壁に沿って、ノックを囲んだ状態にて天冠を設け、天冠の後端側における内径側への突出部とノックの外壁及びノックの先端側における外径側への突出部と天冠の内壁とは何れも相互に摺動自在に設定されており、当該天冠は、前側先端から後側中途部位にかけて、ストッパーバネの一方側脚部の後側の一部領域が嵌合可能である細長状スリットを有しているスリムタイプボールペンからなる。
【発明の効果】
【０００９】
前記基本構成に基づく本発明においては、レフィールに対するスプリング止めとノックとの間にストッパーバネ及び天冠を介在させるというシンプルな構成でありながら、ペン先の口金からの突出による筆記の状態及びペン先の口金内における収納による筆記していない状態を可能としており、ボールペンとしての本来の機能を発揮することができる。
【００１０】
しかも、筆記している段階の前進及び収納段階の後退を支配するストッパーバネの長手方向と直交する方向の幅を４〜５ｍｍ程度とすることができるため、従来のカム方式に比し、軸筒の内径を極めて小さい状態とし、ひいてはスリムタイプに設計することができる。
【００１１】
更には、筆記していない段階では、軸筒の穴から突出しているストッパーバネの一方側の脚部における突起を軸筒の穴内に押圧するという簡単な操作によって、スプリングを介してレフィール及びその先端のペン先を後退させることによって、ペン先を口金内部に収納することも可能となる。
【図面の簡単な説明】
【００１２】
【図１】前記基本構成において、筆記している段階の状態を示す側断面図である。
【図２】前記基本構成において、筆記していない段階の状態を示す側断面図である。
【図３】天冠の状態を示す斜視図である。
【図４】実施例における天冠とストッパーバネとの係合関係を示す側断面図であって、（ａ）は、筆記している段階の状態を示しており、（ｂ）は、筆記していない段階の状態を示す。
【図５】ストッパーバネの形状を示す側面図であって、（ａ）は、ストッパーバネの他方側脚部において、弾性力発揮部が略Ｕ字状である実施形態を示しており、（ｂ）は、弾性力発揮部が略Ｓ字状である実施形態を示す。
【発明を実施するための形態】
【００１３】
前記基本構成からも明らかなように、本願のスリムタイプのボールペンにおいても、図１及び図２に示すように、従来技術の場合と同様に、先端に口金２を着脱自在に螺着し、後端にノック６を前後方向移動可能な状態にて係合している軸筒１との長手方向に沿ってインクを収納するパイプ及びペン先３１を有するレフィール３をノック６による前方向への押圧及びスプリング５の後方への弾性力を介して前後方向に移動可能な状態にて収納し、かつ当該スプリング５を口金２の後端とレフィール３の後端にて固着されているスプリング止め４との間にて伸縮自在にて固着するという技術的前提に立脚している。
【００１４】
但し、レフィール３の後端側を支持し、かつレフィール３の周囲に配置されているスプリング５の後端と当接しているスプリング止め４とノック６との間にストッパーバネ７及び天冠８を設けていることに基本的特徴点が存在する。
【００１５】
ストッパーバネ７は、図１及び図２に示すように、スプリング止め４を押圧している押圧部７１から後方に向けて２本の脚部を突設し、このうち、一方側の脚部の中途部位にスプリング止め４よりも後方にて軸筒１に設けた穴１１に嵌合している突起７２を備えており、他方の脚部は、ノック６によって固定されている後端側から軸筒１の長手方向に沿って前側に延設された直線状領域７３と、前記押圧部７１から後端に延設された一部領域又は全部領域が前記直線状領域７３と交差状に結合することによって、前後方向における弾性力発揮部７４を備えている。
尚、図１及び図２において、押圧部７１から後端に延設された全部領域が弾性力発揮部７４に該当する場合については、点線によって表示しており、一部領域が弾性力発揮部７４に該当する場合については、実線によって表示している。
【００１６】
天冠８の基本形状は、図３に示すとおりであるが、軸筒１の後端から内壁に沿って、ノック６を囲んだ状態にて設置されており、天冠８の後端部における内径側への突出部８１とノック６の外壁及びノック６の先端側における外径側への突出部６１と天冠８の内壁とは何れも相互に摺動自在に設定されている。
【００１７】
天冠８は、図１に示すように、前側先端から後側中途部位にかけて、ストッパーバネ７の一方側脚部の全部領域又は一部領域が嵌合可能である細長状スリット８２を有すると共に、図２に示すように、前記中途部位の後方に、前記突起に対する軸筒１内への押圧を原因として、当該嵌合状態が解消された場合に、前記後側部分が当接する壁部が存在する。
【００１８】
筆記している段階では、図１に示すように、手指の作動を原因とするノック６の前側への押圧によって、ストッパーバネ７、スプリング止め４、更にはレフィール３を前進させ、ペン先３１を口金２から突出した状態としているが、ストッパーバネ７の一方側脚部の後側の一部領域は、天冠８の細長状スリット８２内に嵌入しており（但し、図１では、突起よりも後端側のみが嵌入している状態を示す。）、当該後端側領域の後端部と細長状スリット８２の後端部との当接を実現したうえで、ストッパーバネ７とスプリング５とが相互に押圧し合うことによって、レフィール３のペン先３１が口金２から突出した状態を維持することができる。
【００１９】
筆記していない段階では、図２に示すように、手指によって突起７２に対する手指の押圧を原因とする穴１１の内側への移動によって、ストッパーバネ７の一方側脚部の天冠８における細長状スリット８２からの嵌入状態を解消したうえで、スプリング５の伸張する方向の弾性力によって、レフィール３、スプリング止め４、ストッパーバネ７及びノック６は、最も後端側の位置に移動するが、その際、前記一方側脚部の突起よりも後端側領域は、前記細長状スリット８２の後側に位置している天冠８の内壁と当接しており、しかもノック６の先端側における外径方向の突出部は、天冠８の後端部における内径側への突出部８１と当接しかつ前後方向に押し合うことによって、ペン先３１が口金２内に収納された状態を維持することができる。
【００２０】
図１及び図２に示すように、天冠８は、大抵の場合、ノック６の周囲において筒状を形成しているが、天冠８の後端部における内径側への突出部８１とノック６の外壁及びノック６の先端部における外径側への突出部６１と天冠８の内壁は、何れも摺動可能な状態であるが故に、図１に示すような前進状態及び図２に示すような後退状態を実現することができる。
【００２１】
天冠８の後端部における内径側への突出部８１は、図３に示すように、円輪形状を採用する場合が多いが、当該円輪形状以外に、例えば軸筒１の中心軸を基準として、略放射状の隙間を形成するような実施形態も採用可能である。
【００２２】
そして、ノック６の先端部における外径側への突出部６１もまた、通常円輪形状が採用されるが、天冠８の前記突出部８１と同様に、軸筒１の中心軸を基準として、略放射状の隙間を形成するような実施形態も採用可能である。
【００２３】
ストッパーバネ７の前後方向における弾性力は、他方側脚部において、ノック６によって固着された後端側からの長手方向に沿って前側に延設された直線状領域７３と、交差状態にて結合している押圧部７１から延設された弾性力発揮部７４によって発生するが、このような弾性力によって、レフィール３の後端に固着されているスプリング止め４と押圧状態を維持している。
【００２４】
図１及び図２は、ストッパーバネ７の他方側脚部において、弾性力発揮部７４が押圧部７１から後方に延設された直線状領域７３’と交差状態にて結合し、かつ略直線状であることを特徴とする実施形態を示す。
【００２５】
しかしながら、弾性力発揮部７４は、このような直線状に限定される訳ではない。
【００２６】
即ち、図５（ａ）、（ｂ）に示すように、ストッパーバネ７の他方側脚部において、弾性力発揮部７４が押圧部７１から後方に延設されている直線状領域７３’と交差状態にて結合し、かつ略Ｕ字状又は略Ｓ字状であることを特徴とする実施形態もまた採用可能である。
【実施例】
【００２７】
実施例は、図３及び図４（ａ）、（ｂ）に示すように、天冠８において、ノック６に固定されている後端側から軸筒１の長手方向に沿って前側に延設された直線状領域７３以外の領域の一部と嵌合可能な他の細長状スリット８２を設けたことを特徴としている。
【００２８】
上記の直線状領域７３以外の領域とは、具体的には、弾性力発揮部７４の一部領域、又は当該一部領域及び押圧部７１から後方に延設された直線状領域７３’を指しているが、図４（ａ）、（ｂ）の場合には、当該一部領域及び当該延設された直線状領域７３’の双方が嵌入している状態を示す。
【００２９】
図４（ａ）は、筆記していない段階において、一方側脚部が細長状スリット８２に嵌入している状態に対応しており、図４（ｂ）は、筆記していない段階において、一方側脚部と細長状スリット８２の嵌入状態を解消した状態に対応しているが、図４（ａ）、（ｂ）に示すように、他方側脚部は、何れの段階においても、他の細長状スリット８２との嵌入状態にある。
【００３０】
このように、実施例においては、天冠８の両側における細長状スリット８２とストッパーバネ７の一方側脚部及び他方側脚部との嵌合を実現することによって、ストッパーバネ７と天冠８との安定した係合関係、更には筆記している段階におけるペン先３１の口金２からの突出状態、及び筆記していない段階におけるペン先３１の口金２内の収納状態を安全かつ安定した状態とすることができる。
【産業上の利用可能性】
【００３１】
このように、本発明は、コンパクトタイプのボールペンとして、広範な利用形態を可能としている。
【符号の説明】
【００３２】
１    軸筒
１１    軸筒の穴
２    口金
３    レフィール
３１    ペン先
４    スプリング止め
５    スプリング
６    ノック
６１    ノックの先端部における外径側への突出部
７    ストッパーバネ
７１    ストッパーバネにおけるスプリング止めに対する押圧部
７２    一方側脚部における突起
７３    ノックに固着された後端から延設された長手方向に沿った略直線状領域
７３’  押圧部から後方に延設された略直線状領域
７４    弾性力発揮部
８    天冠
８１    天冠の後端部における内径側への突出部
８２    天冠における細長状スリット
【図１】
2014117874.tif 000003
【図２】
2014117874.tif 000004
【図３】
2014117874.tif 000005
【図４】
2014117874.tif 000006
【図５】
2014117874.tif 000007